(57)【要約】【課題】  冷却フアンによる騒音のレベルを選択することが可能な充電装置を提供する。【解決手段】  電池パック２の充電中、冷却ファン６の出力を変えたい場合には、スイッチ１０２を押すことにより通常モード、低騒音モード、オフの３状態から所望の状態を選択することができる。選択された冷却ファン６の出力状態で充電を行っている際に、電池温度検出回路９０が電池パック２の温度及び温度上昇が所定値を超えることを検出すると、マイコン５０、充電電流設定部８２、充電電流制御回路６０により充電電流を低減して充電を行う。冷却ファン６の出力状態は、ＬＥＤ１１１の点灯色により目視で確認できる。冷却ファン６の状態を選択することで、騒音レベルを選択することが可能となる。【選択図】  図１
2005276733.tif 000002
【特許請求の範囲】
【請求項１】
電池パックを充電するための充電装置であって、
前記電池パックを冷却する冷却フアンと、
前記冷却フアンの出力を制御する冷却ファン制御手段と、
前記冷却フアンの出力を選択する冷却フアン出力選択手段と
を有し、前記冷却フアンの出力を前記冷却ファン出力選択手段によって任意に設定できるようにしたことを特徴とする充電装置。
【請求項２】
冷却フアンの出力状況を表示する表示手段をさらに備えたことを特徴とする請求項１記載の充電装置。
【請求項３】
前記電池パックを充電する充電電流を制御する充電電流制御手段をさらに有し、前記冷却フアン出力選択手段の設定状態に応じて、前記充電電流制御手段は充電電流を制御することを特徴とする請求項１または２のいずれか一項に記載の充電装置。
【請求項４】
前記冷却フアンの出力設定を、電源がオフされた状態においても記憶するための記憶手段を備えたことを特徴とする請求項１乃至３のいずれか一項に記載の充電装置。
【請求項５】
前記冷却ファン制御手段は、前記冷却フアンの出力をパルス幅変調制御にて制御することを特徴とする請求項１乃至４のいずれか一項に記載の充電装置。
【発明の詳細な説明】
【技術分野】
【０００１】
本発明は、ニッケル・カドミウム電池やニッケル水素電池等の２次電池を充電する充電装置に関するものである。
【背景技術】
【０００２】
コードレス工具等の電源に用いられているニッケル・カドミニウム電池やニッケル水素電池等の電池パックを充電する際、大きな充電電流で充電すると短時間で充電できるが、充電時の電池パック内の電池の発熱も大きくなり電池のサイクル寿命が短くなるため、電池の発熱を抑制するように小さい充電電流で長時間かけて充電する充電装置が提案されている。
【０００３】
一方、充電装置に設けられた冷却フアンにより電池パックを冷却しながら充電を行い、充電時の電池の発熱を抑制して大きな充電電流で短時間で充電する充電装置も提案されている。
【０００４】
上記２つの充電装置は、電池パックが強制冷却に対応できるか否か、すなわち冷却フアンからの送風に対して電池パックが風穴等の構造を設けているか否かによって使い分けることになる。すなわち、冷却非対応電池パックは、前者の充電装置による充電方式で充電することになり、冷却対応電池パックは、後者の充電装置による充電方式で充電することになる。
【０００５】
このように冷却対応電池パックと冷却非対応電池パックとでは充電方式が異なることを考慮し、充電開始時の電池温度勾配が所定値以上であるか以下であるかを判断することにより、冷却フアンによる電池パックへの送風による冷却効果の有無を判断し、その結果に応じて、冷却効果がある時は平均充電電流を大きくし、無い時は平均充電電流を小さくして充電する充電方法が提案されている（例えば、特許文献１参照）。
【特許文献１】特開２０００−３１２４４０号公報
【発明の開示】
【発明が解決しようとする課題】
【０００６】
しかし、かかる充電装置においては、充電時間の短縮を図ることができるが、ユーザによっては冷却フアンの電池パックへの送風による騒音の大きさが気になるといった問題がある。
【０００７】
本発明は、従来の充電装置が有する上記問題点に鑑みてなされたものであり、本発明の目的は、冷却フアンの出力状態をユーザが設定できるようにすることにより、必要に応じて設定した出力で冷却ファンを駆動することで、冷却フアンによる騒音のレベルを選択することを可能とすることである。
【課題を解決するための手段】
【０００８】
上記目的を達成するためになされた請求項１記載の発明は、電池パックを充電するための充電装置であって、前記電池パックを冷却する冷却フアンと、前記冷却フアンの出力を制御する冷却ファン制御手段と、前記冷却フアンの出力を選択する冷却フアン出力選択手段とを有し、前記冷却フアンの出力を前記冷却ファン出力選択手段によって任意に設定できるようにしたことを特徴とする充電装置である。
【０００９】
請求項１記載の充電装置において、ユーザは必要に応じて冷却ファンの出力を冷却ファン出力選択手段によって選択し、設定する。
【００１０】
請求項２に記載の発明は、請求項１に記載の充電装置において、冷却フアンの出力状況を表示する表示手段をさらに備えたことを特徴とする。
【００１１】
請求項３に記載の発明は、請求項１または２のいずれか一項に記載の充電装置において、前記電池パックを充電する充電電流を制御する充電電流制御手段をさらに有し、前記冷却フアン出力選択手段の設定状態に応じて、前記充電電流制御手段は充電電流を制御することを特徴とする。
【００１２】
請求項４に記載の発明は、請求項１乃至３のいずれか一項に記載の充電装置において、前記冷却フアンの出力設定を、電源がオフされた状態においても記憶するための記憶手段を備えたことを特徴とする。
【００１３】
請求項５に記載の発明は、請求項１乃至４のいずれか一項に記載の充電装置において、前記冷却ファン制御手段は、前記冷却フアンの出力をパルス幅変調制御にて制御することを特徴とする。
【発明の効果】
【００１４】
請求項１に記載の発明によれば、電池パックの種類や、充電時の状況などに応じて、冷却ファンの出力を任意に選択し、設定することが可能になる。
【００１５】
請求項２に記載の発明によれば、冷却ファンの稼働状態を、表示手段により正確かつ容易に知ることができる。
【００１６】
請求項３に記載の発明によれば、冷却ファンの出力状態に応じて充電電流を制御することが可能になるので、充電時間と、冷却ファンの騒音低減とのどちらを優先するかを必要に応じて変えることが可能になる。
【００１７】
請求項４に記載の発明によれば、電源をオフしても直前の稼働時の冷却ファンの出力状態を保存することができる。これにより、再稼働時に改めて設定しなくても、直前の稼働状態を再現することが可能になる。
【００１８】
請求項５に記載の発明によれば、冷却ファンの出力を確実に制御することが可能である。
【００１９】
以上のように本発明によれば、充電装置における冷却フアンの出力状態をユーザが設定できるようにすることにより、冷却フアンによる騒音のレベルを選択できるようになる。これにより、充電装置の使い勝手を向上させることが可能となる。
【発明を実施するための最良の形態】
【００２０】
本発明の１実施の形態による充電装置について、図１乃至図４に基づき説明する。図１は本発明の一実施形態による充電装置２００を示す回路図である。充電装置２００は、整流平滑回路１０、スイッチング回路２０、整流平滑回路３０が順次接続された構成を有し、充電装置２００を交流電源１に接続したときに、整流平滑回路３０から供給される直流電流により電池パック２を充電するようになっている。電池パック２を充電装置２００に接続し充電を開始すると、電池パック２に流れる充電電流は電流検出用抵抗３で検出される。検出された充電電流は、充電電流制御回路６０、ホトカプラー５を介してスイッチング回路２０にフィードバックされる。
【００２１】
また、充電装置２００には、電池パック２内の電池組２Ａの電圧を検出する電池電圧検出回路４０と、電池組２Ａの温度を検出する電池温度検出回路９０が設けられており、これら２つの回路からの情報はマイクロコンピュータ５０（以下、「マイコン５０」という）に供給されている。充電装置２００には更に、冷却ファン６を駆動するための冷却ファン駆動回路７、冷却ファン出力選択回路１００、冷却ファン出力表示回路１１０及び定電圧電源７０等が含まれ、これらもマイコン５０に接続されている。マイコン５０は、充電電流設定部８２を介して充電電流制御回路６０に接続されると共に、ホトカプラー４を介してスイッチング回路２０に接続されている。以下、詳細に説明する。
【００２２】
交流電源１は、例えば１００Ｖの商用電源であり、充電装置２００の電源となる。電池パック２内の電池組２Ａは、複数の電池を直列接続してなるものであり、電池パック２内には電池組２Ａに接触または近接して配置され、電池温度を検出する感温素子であるサーミスタ２Ｂが配設されている。
【００２３】
電流検出用抵抗３は、電池パック２に流れる充電電流を検出する。充電制御信号伝達手段としてのホトカプラー４は充電の開始及び停止を制御する信号を伝達する。充電電流信号伝達手段としてのホトカプラー５は、充電電流の信号をＰＷＭ制御ＩＣ２３に帰還する。
【００２４】
冷却ファン６は、電池パック２を冷却するためのものである。冷却ファン駆動回路７は、冷却フアン６を駆動するための回路であり、トランジスタ７a、抵抗７b、７cから構成される。マイコン５０は、出力ポート５１ｂの出力に応じて冷却ファン駆動回路７を通じて冷却フアン６の駆動を制御する。
【００２５】
整流平滑回路１０は、全波整流回路１１と平滑用コンデンサ１２からなる。スイッチング回路２０は、高周波トランス２１、ＭＯＳＦＥＴ２２とＰＷＭ制御ＩＣ２３からなるスイッチング回路である。ＰＷＭ制御ＩＣ２３は、ＭＯＳＦＥＴ２２の駆動パルス幅を変えて整流平滑回路３０の出力電圧を調整するスイッチング電源ＩＣである。
【００２６】
整流平滑回路３０は、ダイオード３１、３２、チョークコイル３３、平滑用コンデンサ３４からなる。電池電圧検出回路４０は、抵抗４１、４２からなり、電池パック２の端子電圧はこの抵抗４１、４２により分圧された後マイコン５０に入力される。
【００２７】
マイコン５０は出力ポート（ＯＵＴ）５１ａ、５１ｂ、５１ｃ、５１ｄ、Ａ／Ｄコンバータ（Ａ／Ｄ）５２、入力ポート（ＩＮ）５３、入出力ポート（ＩＮ／ＯＵＴ）５４、リセット入力ポート（ＲＥＳＥＴ）５５及び図示しないＣＰＵ、ＲＯＭ及びＲＡＭを備えている。充電電流制御回路６０は、演算増幅器６１、６２、抵抗６３〜６６からなる。定電圧電源７０は、電源トランス７１、全波整流回路７２、トランジスタ７３、抵抗７４、ツェナダイオード７５、７６、平滑コンデンサ７７、７９、３端子レギュレータ７８、リセットＩＣ８０からなる。定電圧電源７０の出力電圧は、冷却フアン６、マイコン５０、充電電流制御回路６０等に供給される。
【００２８】
リセットＩＣ８０はマイコン５０を初期状態にするためにマイコン５０のリセット入力ポート５５にリセット信号を出力する。冷却フアン６への出力は、トランジスタ７３、抵抗７４、ツェナダイオード７５、７６及び出力ポート５１ｄの出力状況により決定される。充電電流設定部８２は、充電電流を設定する手段であって、マイコン５０の出力ポート５１ｃからの信号に対応して演算増幅器６２の反転入力端に印加する電圧値を変えるものである。
【００２９】
電池温度検出回路９０は抵抗９１、９２からなり、５Ｖの定電圧源と接続された抵抗９１と、抵抗９２と電池パック２内のサーミスタ２Ｂとによって分圧された電圧をマイコン５０のＡ／Ｄコンバータ５２に入力し、電池温度を検出し充電を制御する構成となっている。
【００３０】
冷却フアン出力選択回路１００は、抵抗１０１、スイッチ１０２からなる。スイッチ１０２を押すごとに、マイコン５０の入力ポート５３に５Ｖが印加される。マイコン５０は、５Ｖの電圧を検出するごとに、冷却フアンの出力状態を変化させ、その状態をマイコン５０の入出力ポート５４よりＥＥＰＲＯＭ１２０に記憶させるとともに、出力ポート５１ｄの出力状態を変化させ、冷却フアン６に供給する電圧を変化させる。
【００３１】
冷却フアン出力表示回路１１０は、ＬＥＤ１１１、抵抗１１２、１１３からなり、冷却フアン６の出力状態に対応するマイコン５０の出力ポート５１aからの出力に応じ、発色状態を変化させる。ＥＥＰＲＯＭ１２０は、現在の冷却フアン６の出力状態を記憶する。
【００３２】
次に図１の回路図及び図２乃至図４のフローチャートを参照して本発明の実施の形態に係わる充電装置の動作を説明する。
【００３３】
図２に示すように、電源を投入するとマイコン５０は出力ポート５１a、５１b、５１c、５１dをイニシャルセットし、冷却フアン６の出力状態をＬＥＤ１１１に表示するためＥＥＰＲＯＭ１２０の状態をマイコン５０の入力ポート５４より読み込む（ステップ１０１）。
【００３４】
まず、ＥＥＰＲＯＭ１２０の設定が、冷却フアン通常モード（冷却フアンの出力を最大にするモード）であるか否かを判別する（ステップ１０２）。冷却フアン通常モードの設定であれば（ステップ１０２：ＹＥＳ）、ＬＥＤ１１１が赤を点灯するよう出力ポート５１ａから出力される信号のレベルを設定し、ＬＥＤ１１１に赤を点灯させる（ステップ１０６）。
【００３５】
ステップ１０２において、ＥＥＰＲＯＭ１２０の設定が冷却フアン通常モードでない場合は、冷却フアンオフモードであるか否かを判別する（ステップ１０３）。冷却フアンオフモードであれば（ステップ１０３：ＹＥＳ）、ＬＥＤ１１１が緑を点灯するよう出力ポート５１ａから出力される信号のレベルを設定し、ＬＥＤ１１１に緑を点灯させる（ステップ１０５）。
【００３６】
ステップ１０３において、ＥＥＰＲＯＭ１２０の設定が冷却フアンオフモードでない場合は、冷却フアン低騒音モードで作動することを表示すべく、ＬＥＤ１１１が橙を点灯するよう出力ポート５１ａから出力される信号のレベルを設定し、ＬＥＤ１１１に橙を点灯させる（ステップ１０４）。
【００３７】
次に、冷却フアンモード変更スイッチ（以下、「スイッチ」という）１０２が押されたか否かを判別する（ステップ１０７）。押された場合は（ステップ１０７：ＹＥＳ）、ＥＥＰＲＯＭ１２０の状態をマイコン５０の入力ポート５４より読み込む（ステップ１０８）。次に、現在のモードが冷却フアン通常モードであるか否かを判別し（ステップ１０９）、冷却フアン通常モードである場合は、スイッチ１０２が押されることにより冷却フアン通常モードから冷却フアン低騒音モードに設定を変化させるべく、ＥＥＰＲＯＭ１２０の書き込みを行う（ステップ１１５）。また、ＬＥＤ１１１の状態も冷却フアン低騒音モードに設定すべく橙に変化させる（ステップ１１６）。
【００３８】
ステップ１０９において、現在のモードが冷却フアン通常モードでない場合は、現在のモードが冷却フアンオフモードであるか否かを判別し（ステップ１１０）、冷却フアンオフモードである場合は（ステップ１１０：ＹＥＳ）、スイッチ１０２が押されたことにより冷却フアンオフモードから冷却フアン通常モードに設定を変化させるべく、ＥＥＰＲＯＭ１２０の書き込みを行う（ステップ１１３）。また、ＬＥＤ１１１の状態も冷却フアン通常モードに設定すべく赤に変化させる（ステップ１１４）。
【００３９】
ステップ１１０において、現在のモードが冷却フアンオフモードでない場合、すなわち冷却フアン低騒音モードである場合は、スイッチ１０２が押されたことにより冷却フアン低騒音モードから冷却フアンオフモードに設定を変化させるべく、ＥＥＰＲＯＭ１２０の書き込みを行う（ステップ１１１）。また、ＬＥＤ１１１の状態も冷却フアン通常モードに設定すべく緑に変化させる（ステップ１１２）。
【００４０】
次に、電池パック２の接続待機状態となり（ステップ１１７）、電池パック２を接続すると、マイコン５０は電池パック接続を電池電圧検出回路４０からの信号により判別する。またここで、冷却ファン６のモードが所望のモードでない場合には、ステップ１０７に戻って、所望のモードに変更する。
【００４１】
図３に示すように、電池パック２が接続されると、冷却判別終了フラグを「０」とする（ステップ１１８）。次に、ＥＥＰＲＯＭ１２０の状態をマイコン５０の入出力ポート５１ｄが読込み、冷却フアン６の出力及びＬＥＤ１１１の発色を決定する（ステップ１１９）。まず、ＥＥＰＲＯＭ１２０の状態が、冷却フアン通常モードであるか否かを判別し（ステップ１２０）、冷却フアン通常モードであれば、マイコン５０の出力ポート５１ｄをハイインピーダンス出力、出力ポート５１ｂをハイ出力とし、冷却フアン６を最大の出力で動作させる（ステップ１２６）。また、ＬＥＤ１１１を赤に点灯させる（ステップ１２７）。
【００４２】
ステップ１２０において、冷却フアン通常モードでなければ、ＥＥＰＲＯＭ１２０の状態が、冷却フアンオフモードであるか否かを判別し（ステップ１２１）、冷却フアンオフモードであれば、マイコン５０の出力ポート５１bをロー出力とし、冷却フアン６をオフさせる（ステップ１２４）。また、ＬＥＤ１１１を緑に点灯させる（ステップ１２５）。
【００４３】
ステップ１２１において、冷却フアンオフモードでなければ、冷却フアン低騒音モードであると判別しマイコン５０の出力ポート５１dをロー出力、出力ポート５１bをハイ出力とし、冷却フアン６を最大出力より小さい出力、例えば、最大出力の半分の出力で動作させる（ステップ１２２）。また、ＬＥＤ１１１を橙に点灯させる（ステップ１２３）。
【００４４】
すなわち、スイッチ１０２を押すごとに冷却フアン通常モード、冷却フアン低騒音モード、冷却フアンオフモード、そしてまた、冷却フアン通常モードとＬＥＤ１１１を変化させる。
【００４５】
次に、出力ポート５１cよりホトカプラー４を介しＰＷＭ制御ＩＣ２３に充電開始信号を伝達するとともに出力ポート５１cより充電電流設定部８２を介して充電電流設定基準電圧値ＶｉＯを演算増幅器６２に印加し、充電電流Ｉ０で充電を開始する（ステップ１２８）。
【００４６】
図４に示すように充電中において、スイッチ１０２が押されたか否かを判別し（ステップ１３２）、押されていない場合は、冷却判別終了フラグが「１」であるか否かを判別する（ステップ１４８）。冷却判別終了フラグが「１」でない場合は、電池温度検出回路９０より検出された現在の電池温度が、所定値Ｐ以上か否かを判別する（ステップ１４９）。
【００４７】
所定値Ｐ以上であれば、電池温度勾配が所定値Ｋ以上であるか否かを判別する（ステップ１５０）。なおこのとき電池温度検出回路９０は、連続してサンプリングした電池温度を所定数記憶しており、記憶された電池温度を用いて温度勾配を算出する。温度勾配が所定値Ｋ以上であれば、冷却効果がないと判別し、充電電流をＩ１（Ｉ０＞Ｉｌ）に切替える（ステップ１５２）。ステップ１５０において、電池温度勾配が所定値Ｋ以上でない場合は冷却効果があると判別し、充電当初の電流Ｉ０で充電を継続する。次に、冷却判別終了フラグを「１」とし（ステップ１５１）、満充電であるか否かを判別する（ステップ１５３）。
【００４８】
電池パックが満充電か否かの判別には周知の如く種々の検出方法がある。例えば、−△Ｖ検出法は、電池電圧検出回路４０の出力に基づいて充電末期のピーク電圧から所定量降下したことを検出して満充電とする方法である。また、２階微分検出法は、電池電圧がピークに達する前に充電を停止することにより過充電を防止し、電池のサイクル寿命を向上させることを目的とし、電池電圧の時間による２階微分値が負になるのを検出して満充電とする方法である。更に△Ｔ検出法は、電池温度検出回路９０の出力に基づいて充電開始からの電池の温度上昇値が所定の温度上昇値以上になるのを検出して満充電とする方法である。この他、特開昭６２−１９３５１８号、特開平２−２４６７３９号、実開平３−３４６３８号公報に記載されているように充電時における所定時間当りの電池温度上昇率（温度勾配）が所定値以上になるのを検出して満充電とするd T／d t検出法等があり、本実施の形態では任意の一つないし複数の満充電検出法を用いて行えばよい。
【００４９】
ステップ１５３において、満充電と判別された場合は、マイコン５０の出力ポート５１ｂをロー出力にして冷却フアン６をオフし（ステップ１５４）、電池パック２が充電装置２００から抜かれたか否かを判別し（ステップ１５５）、抜かれた場合はステップ１０１に戻る。
【００５０】
ステップ１４８において冷却判別終了フラグが「１」である場合は、ステップ１５３の満充電判別にジャンプする。ステップ１４９において、電池温度が所定値Ｐより小さい場合はステップ１５３の満充電判別に進む。ステップ１５３において、満充電であると判別されなかった場合は、ステップ１３２に戻る。
【００５１】
ステップ１３２において、スイッチ１０２を押した場合は、まずＥＥＰＲＯＭ１２０の状態を読込み（ステップ１３３）、ＥＥＰＲＯＭ１２０の状態が、冷却フアン通常モードであるか否かを判別する（ステップ１３４）。
【００５２】
冷却フアン通常モードであれば、スイッチ１０２が押されたことにより冷却フアン通常モードから冷却フアン低騒音モードに設定を変化させるべく、マイコン５０の出力ポート５１ｄをロー出力、出力ポート５１ｂをハイ出力とし、冷却フアン６を最大の出力の半分の出力で動作させる（ステップ１４５）。また、冷却フアン低騒音モードであることをＥＥＰＲＯＭ１２０に書き込み（ステップ１４６）、ＬＥＤ１１１を橙に点灯させる（ステップ１４７）。
【００５３】
ステップ１３４において、ＥＥＰＲＯＭ１２０の状態が冷却フアン通常モードでなければ、ＥＥＰＲＯＭ１２０の状態が、冷却フアンオフモードであるか否かを判別する（ステップ１３５）。冷却フアンオフモードであれば、スイッチ１０２が押されたことにより冷却フアンオフモードから冷却フアン通常モードに設定を変化させるべく、マイコン５０の出力ポート５１ｄをハイインピーダンス出力、出力ポート５１ｂをハイ出力とし、冷却フアン６を最大の出力で動作させる（ステップ１４２）。また、冷却フアン通常モードであることをＥＥＰＲＯＭ１２０に書き込み（ステップ１４３）、ＬＥＤ１１１を赤に点灯させる（ステップ１４４）。
【００５４】
ステップ１３５において、冷却フアンオフモードでなければ、すなわち冷却フアン低騒音モードであれば、スイッチ１０２が押されたことにより冷却フアン低騒音モードから冷却フアンオフモードに設定を変化させるべく、マイコン５０の出力ポート５１bをロー出力とし、冷却フアン６をオフさせる（ステップ１３６）。また、冷却フアンオフモードであることをＥＥＰＲＯＭ１２０に書き込み（ステップ１３７）、ＬＥＤ１１１を赤に点灯させる（ステップ１３８）。
【００５５】
この時、冷却判別フラグが「１」であり（ステップ１３９のｙｅｓ）、電流がＩ０であるなら（ステップ１４０のｙｅｓ）、充電電流をＩ１に切替える（ステップ１４１）。冷却判別フラグが「１」でない場合（ステップ１３９のｎｏ）、及び電流がＩ０でない場合（ステップ１４０のｎｏ）はステップ１３２に戻る。
【００５６】
以上詳細に説明したように、本実施の形態による充電装置２００によれば、ＬＥＤ１１１の点灯色により、冷却ファン６の出力状態が目視で確認できる。冷却ファン６の出力を変えたい場合には、スイッチ１０２を押すことにより通常モード、低騒音モード、オフの３状態から所望の状態を選択することができる。
【００５７】
選択された冷却ファン６の出力状態で充電を行っている際に、電池温度検出回路９０が電池パック２の温度及び温度上昇が所定値を超えることを検出すると、マイコン５０、充電電流設定回路８２、充電電流制御回路６０により充電電流を低減して充電を行うことができる。
【００５８】
以上、添付図面を参照しながら本発明による充電装置の好適な実施形態について説明したが、本発明は上述した実施の形態に限定されない。当業者であれば、特許請求の範囲に記載された技術的思想の範疇内において各種の変形や改良が可能である。
【００５９】
例えば、本実施の形態においては、冷却フアン６の出力の制御を抵抗７４、トランジスタ７３、ツェナダイオード７５、７６を用いて行ったが、マイコン５０の出力ポート５１bよりパルス信号を出力し、パルス幅変調（Ｐｕｌｓｅ  Ｗｉｄｔｈ  Ｍｏｄｕｌａｔｉｏｎ：ＰＷＭ）制御により制御してもよい。また、充電装置２００の回路構成は、上記構成に限定されず、同様の作用効果を有する他の構成でもよい。
【産業上の利用の可能性】
【００６０】
本発明の充電装置は、コードレス電動工具の電源等として使用する充電池を充電するために利用される。
【図面の簡単な説明】
【００６１】
【図１】充電装置２００の一実施の形態を示す回路図。
【図２】充電装置２００の制御方法の一実施の形態を示すフローチャート。
【図３】充電装置２００の制御方法の一実施の形態を示すフローチャート。
【図４】充電装置２００の制御方法の一実施の形態を示すフローチャート。
【符号の説明】
【００６２】
１…商用電源、  ２…電池パック、  ２Ａ…電池組、  ４…ホトカプラー、  ６…冷却フアン、  ７…冷却ファン駆動回路、  １０、３０…整流平滑回路、  ２０…スイッチング回路、  ４０…電池電圧検出回路、  ５０…マイコン、  ６０…充電電流制御回路、  ７０…定電圧電源、  ８２…充電電流設定部、  ９０…冷却フアン出力表示回路、  １００…冷却フアン出力選択回路、  １２０…ＥＥＰＲＯＭ
【図１】
2005276733.tif 000003
【図２】
2005276733.tif 000004
【図３】
2005276733.tif 000005
【図４】
2005276733.tif 000006